(57)【要約】【課題】カラオケ選曲した楽曲を予約登録する前に試聴して確認可能とするとともに、カラオケルームのシステム管理を簡素化し、メンテナンス性の向上が可能なカラオケボックスシステムを提供する。【解決手段】選曲用リモコンの代わりに、カラオケボックス本体２０ａが設置された客室ａに入室した利用者が選曲した楽曲を予約登録するためのカラオケ選曲モジュール３３ａと赤外線通信部３４ａと大画面タッチパネル３２ａとを、ボタン電話装置本体４０に接続した専用電話機３０ａに備え、利用者が大画面タッチパネル３２ａにカラオケ選曲用のメニュー画面を表示させ、所望の楽曲を選曲した際に、カラオケボックス本体２０ａに予約登録する前に、サーバ１０から当該楽曲を転送させてハンドセット３１ａから出力し、当該楽曲を試聴可能とする。試聴した利用者が予約登録を指示すると、赤外線通信部３４ａを介してカラオケボックス本体２０ａに予約登録する。【選択図】図１
2008076699.tif 000002
【特許請求の範囲】
【請求項１】
カラオケボックス本体が設置されたカラオケルームに、カラオケ選曲機能を有するカラオケ選曲モジュールと、前記カラオケボックス本体と赤外線通信を行う赤外線通信手段とを少なくとも備えた電話機を設置し、前記カラオケルームに入室した利用者による前記電話機の前記カラオケ選曲モジュールへの指示により選曲された楽曲を前記カラオケボックス本体に予約登録することにより、楽曲を記憶しているサーバから選曲された前記楽曲を前記カラオケボックス本体に取り込んで再生するカラオケボックスシステムであって、前記カラオケ選曲モジュールは、選曲された前記楽曲を前記カラオケボックス本体に予約登録するのに先立って、選曲された前記楽曲の送信要求を前記サーバに送信することにより、選曲された前記楽曲を前記サーバから前記電話機に対して送信させて、前記電話機のスピーカまたはイヤホンを介して出力することを特徴とするカラオケボックスシステム。
【請求項２】
選曲された前記楽曲を前記電話機のスピーカまたはイヤホンを介して試聴した利用者から、カラオケ予約を行うか取り消すかを指示する指示コマンドを前記カラオケ選曲モジュールが受け取った際に、選曲された前記楽曲の前記電話機に対する前記サーバの送信動作を停止させることを特徴とする請求項１に記載のカラオケボックスシステム。
【請求項３】
選曲された前記楽曲を試聴した利用者から、カラオケ予約を行う旨を指示する指示コマンドを前記カラオケ選曲モジュールが受け取った場合、前記電話機の前記赤外線通信手段を駆動して当該楽曲を前記カラオケボックス本体に予約登録することを特徴とする請求項２に記載のカラオケボックスシステム。
【請求項４】
前記カラオケボックス本体は、前記電話機の前記赤外線通信手段から予約登録の指示を受け取った際に、予約リストに登録するとともに、予約登録指示された前記楽曲が内蔵の記憶装置に存在しているか否かを確認し、存在していない場合、前記サーバから、前記楽曲をダウンロードすることを特徴とする請求項３に記載のカラオケボックスシステム。
【請求項５】
前記電話機が、ボタン電話装置の本体に接続されている内線電話機からなっていることを特徴とする請求項１ないし４のいずれかに記載のカラオケボックスシステム。
【請求項６】
前記電話機に、大画面タッチパネルを備え、前記カラオケ選曲モジュールにより、利用者に対するカラオケ選曲用のメニュー画面を前記大画面タッチパネル上に画面表示し、利用者の該大画面タッチパネルへの押下操作により、カラオケ楽曲の選曲を行う手段を有していることを特徴とする請求項５に記載のカラオケボックスシステム。
【請求項７】
カラオケ用の楽曲を記憶している前記サーバが、カラオケ選曲用の前記メニュー画面、および、該メニュー画面を表示したタッチパネルの押下操作による指示コマンドを関連付けしたＧＵＩ機能を保有し、前記電話機へ必要に応じて転送することを特徴とする請求項６に記載のカラオケボックスシステム。
【請求項８】
前記電話機が、カラオケルームに入室した利用者が携行した携帯電話機および／またはカラオケルームにあらかじめ備えられた携帯電話機からなっていることを特徴とする請求項１ないし４のいずれかに記載のカラオケボックスシステム。
【請求項９】
カラオケ選曲機能を有するカラオケ選曲モジュールと、選曲されたカラオケの楽曲を予約するためにカラオケボックス本体と赤外線通信を行う赤外線通信手段とを少なくとも備えていることを特徴とする電話機。
【請求項１０】
前記カラオケ選曲モジュールは、利用者によりカラオケ用の楽曲が選曲された際に、選曲された前記楽曲を前記カラオケボックス本体に予約登録するのに先立って、選曲された前記楽曲の送信要求を、カラオケ用の楽曲を記憶するサーバに送信することにより、選曲された前記楽曲を前記サーバから受信して、スピーカまたはイヤホンを介して出力することを特徴とする請求項９に記載の電話機。
【請求項１１】
前記カラオケ選曲モジュールは、利用者から当該楽曲のカラオケ予約を行う旨を指示する指示コマンドを受け取った際に、前記赤外線通信手段を駆動して当該楽曲を前記カラオケボックス本体に予約登録することを特徴とする請求項１０に記載の電話機。
【請求項１２】
当該電話機が、ボタン電話装置の本体に接続されている内線電話機からなっていることを特徴とする請求項９ないし１１のいずれかに記載の電話機。
【請求項１３】
大画面タッチパネルを備え、前記カラオケ選曲モジュールにより、利用者に対するカラオケ選曲用のメニュー画面を前記大画面タッチパネル上に画面表示し、利用者の該大画面タッチパネルへの押下操作により、カラオケ楽曲の選曲を行う手段を有していることを特徴とする請求項１２に記載の電話機。
【請求項１４】
当該電話機が、カラオケルームに入室した利用者が携行した携帯電話機および／またはカラオケルームにあらかじめ備えられた携帯電話機からなっていることを特徴とする請求項９ないし１１のいずれかに記載の電話機。
【請求項１５】
カラオケボックス本体が設置されたカラオケルームに入室した利用者によってカラオケ用として選曲された楽曲を予約登録することにより、楽曲を記憶しているサーバから選曲された前記楽曲を前記カラオケボックス本体に取り込んで再生するカラオケ楽曲予約方法において、楽曲を選曲した際に、前記カラオケボックス本体に予約登録するのに先立って、選曲された前記楽曲を利用者に試聴させることを特徴とするカラオケ楽曲予約方法。
【請求項１６】
選曲された前記楽曲を試聴した利用者から、カラオケ予約を行う旨を指示する指示コマンドを受け取った場合、当該楽曲を前記カラオケボックス本体に予約登録することを特徴とする請求項１５に記載のカラオケ楽曲予約方法。
【発明の詳細な説明】
【技術分野】
【０００１】
本発明は、カラオケボックスシステム、電話機およびカラオケ楽曲予約方法に関する。
【背景技術】
【０００２】
従来のカラオケボックスシステムにおいては、カラオケ店舗の客室（カラオケルーム：カラオケボックス本体が設置されている部屋）に入室した利用者がカラオケ用として選曲した楽曲は、当該利用者によってカラオケ選曲リモコンを操作されることによりカラオケボックス本体に予約登録されて再生させる仕組みが用いられている。ここで、カラオケ店舗の各客室には、特許文献１の特開平９−１７９５７３号公報「カラオケ装置」にも記載されているように、カラオケボックス本体に対して利用者が選曲操作を行うためのカラオケ選曲リモコンと、カラオケ店舗の運用をしているオペラータへの連絡や外線との通話を行うための連絡用の電話機とが、全く別個の機器として設置されており、カラオケ店舗の管理運用を行うに当たって、カラオケ装置本体の管理以外に、これらのカラオケ選曲リモコンや連絡用電話機の管理も個々に行うようになっている。
【特許文献１】特開平９−１７９５７３号公報（第２−３頁）
【発明の開示】
【発明が解決しようとする課題】
【０００３】
したがって、従来のカラオケ店舗においては、利用者は本当にカラオケとして再生したい楽曲が選曲されているか否かを確認することなく、カラオケボックス本体に予約登録されてしまうので、カラオケボックス本体から予約登録した楽曲が実際に再生された際に、利用者が歌唱しようとしている楽曲とは全く異なる楽曲が再生されてしまい、歌唱することができないという利用者にとって不都合な事態に遭遇してしまうことが時々発生している。
【０００４】
また、カラオケ店舗のカラオケルームの管理運用面においても、カラオケ選曲リモコンと連絡用電話機との２つの機器を別個に管理する必要があり、また、カラオケ用の楽曲集も常に最新のものに更新して備え付ける手間が必要であり、カラオケボックスシステムのシステム管理が煩雑化し、メンテナンス性にも欠けるという問題があった。
【０００５】
本発明は、かかる事情に鑑みてなされたものであり、カラオケ選曲した楽曲を予約登録する前に試聴して確認することを可能とするとともに、カラオケ店舗のシステム管理を簡素化し、メンテナンス性の向上を図ることが可能なカラオケボックスシステム、電話機およびカラオケ楽曲予約方法を提供することを目的としている。
【課題を解決するための手段】
【０００６】
前述の課題を解決するため、本発明によるカラオケボックスシステム、電話機およびカラオケ楽曲予約方法は、次のような特徴的な構成を採用している。
【０００７】
（１）カラオケボックス本体が設置されたカラオケルームに、カラオケ選曲機能を有するカラオケ選曲モジュールと、前記カラオケボックス本体と赤外線通信を行う赤外線通信手段とを少なくとも備えた電話機を設置し、前記カラオケルームに入室した利用者による前記電話機の前記カラオケ選曲モジュールへの指示により選曲された楽曲を前記カラオケボックス本体に予約登録することにより、楽曲を記憶しているサーバから選曲された前記楽曲を前記カラオケボックス本体に取り込んで再生するカラオケボックスシステムであって、前記カラオケ選曲モジュールは、選曲された前記楽曲を前記カラオケボックス本体に予約登録するのに先立って、選曲された前記楽曲の送信要求を前記サーバに送信することにより、選曲された前記楽曲を前記サーバから前記電話機に対して送信させて、前記電話機のスピーカまたはイヤホンを介して出力するカラオケボックスシステム。
（２）選曲された前記楽曲を前記電話機のスピーカまたはイヤホンを介して試聴した利用者から、カラオケ予約を行うか取り消すかを指示する指示コマンドを前記カラオケ選曲モジュールが受け取った際に、選曲された前記楽曲の前記電話機に対する前記サーバの送信動作を停止させる上記（１）のカラオケボックスシステム。
（３）選曲された前記楽曲を試聴した利用者から、カラオケ予約を行う旨を指示する指示コマンドを前記カラオケ選曲モジュールが受け取った場合、前記電話機の前記赤外線通信手段を駆動して当該楽曲を前記カラオケボックス本体に予約登録する上記（２）のカラオケボックスシステム。
（４）前記カラオケボックス本体は、前記電話機の前記赤外線通信手段から予約登録の指示を受け取った際に、予約リストに登録するとともに、予約登録指示された前記楽曲が内蔵の記憶装置に存在しているか否かを確認し、存在していない場合、前記サーバから、前記楽曲をダウンロードする上記（３）のカラオケボックスシステム。
（５）前記電話機が、ボタン電話装置の本体に接続されている内線電話機からなっている上記（１）ないし（４）のいずれかのカラオケボックスシステム。
（６）前記電話機に、大画面タッチパネルを備え、前記カラオケ選曲モジュールにより、利用者に対するカラオケ選曲用のメニュー画面を前記大画面タッチパネル上に画面表示し、利用者の該大画面タッチパネルへの押下操作により、カラオケ楽曲の選曲を行う手段を有している上記（５）のカラオケボックスシステム。
（７）カラオケ用の楽曲を記憶している前記サーバが、カラオケ選曲用の前記メニュー画面、および、該メニュー画面を表示したタッチパネルの押下操作による指示コマンドを関連付けしたＧＵＩ機能を保有し、前記電話機へ必要に応じて転送する上記（６）のカラオケボックスシステム。
（８）前記電話機が、カラオケルームに入室した利用者が携行した携帯電話機および／またはカラオケルームにあらかじめ備えられた携帯電話機からなっている上記（１）ないし（４）のいずれかのカラオケボックスシステム。
（９）カラオケ選曲機能を有するカラオケ選曲モジュールと、選曲されたカラオケの楽曲を予約するためにカラオケボックス本体と赤外線通信を行う赤外線通信手段とを少なくとも備えている電話機。
（１０）前記カラオケ選曲モジュールは、利用者によりカラオケ用の楽曲が選曲された際に、選曲された前記楽曲を前記カラオケボックス本体に予約登録するのに先立って、選曲された前記楽曲の送信要求を、カラオケ用の楽曲を記憶するサーバに送信することにより、選曲された前記楽曲を前記サーバから受信して、スピーカまたはイヤホンを介して出力する上記（９）の電話機。
（１１）前記カラオケ選曲モジュールは、利用者から当該楽曲のカラオケ予約を行う旨を指示する指示コマンドを受け取った際に、前記赤外線通信手段を駆動して当該楽曲を前記カラオケボックス本体に予約登録する上記（１０）の電話機。
（１２）当該電話機が、ボタン電話装置の本体に接続されている内線電話機からなっている上記（９）ないし（１１）のいずれかの電話機。
（１３）大画面タッチパネルを備え、前記カラオケ選曲モジュールにより、利用者に対するカラオケ選曲用のメニュー画面を前記大画面タッチパネル上に画面表示し、利用者の該大画面タッチパネルへの押下操作により、カラオケ楽曲の選曲を行う手段を有している上記（１２）の電話機。
（１４）当該電話機が、カラオケルームに入室した利用者が携行した携帯電話機および／またはカラオケルームにあらかじめ備えられた携帯電話機からなっている上記（９）ないし（１１）のいずれかの電話機。
（１５）カラオケボックス本体が設置されたカラオケルームに入室した利用者によってカラオケ用として選曲された楽曲を予約登録することにより、楽曲を記憶しているサーバから選曲された前記楽曲を前記カラオケボックス本体に取り込んで再生するカラオケ楽曲予約方法において、楽曲を選曲した際に、前記カラオケボックス本体に予約登録するのに先立って、選曲された前記楽曲を利用者に試聴させるカラオケ楽曲予約方法。
（１６）選曲された前記楽曲を試聴した利用者から、カラオケ予約を行う旨を指示する指示コマンドを受け取った場合、当該楽曲を前記カラオケボックス本体に予約登録する上記（１５）のカラオケ楽曲予約方法。
【発明の効果】
【０００８】
本発明のカラオケボックスシステム、電話機およびカラオケ楽曲予約方法によれば、以下のような効果を奏することができる。
【０００９】
第１の効果は、選曲した楽曲をカラオケボックス本体に予約登録する前に、当該楽曲の試聴サービスを提供することが可能となる点にある。その理由は、リモコン選曲モジュールと赤外線通信手段とを少なくとも備えることにより電話機能とカラオケ選曲用リモコン機能とを融合したボタン電話装置や携帯電話機には、音を聞くためのハンドセットやスピーカ(あるいはイヤホン)が備えられており、かつ、カラオケ選曲中の楽曲をサーバから転送させて試聴することができる手段を追加して備えているからである。
【００１０】
第２の効果は、カラオケ店舗等のカラオケルームのシステム管理の簡素化を図ることができる点にある。その理由は、従来のカラオケ店舗等のカラオケルームには、電話用の機能を提供するための客室用電話機またはドアホン等と、カラオケ選曲用リモコンとの２つの機器が別個に存在していたが、この両者の機能を融合したボタン電話装置を設置したり、この両者の機能を融合した携帯電話機を用いたりすることにより、機器管理の簡素化を図ることができるからである。
【００１１】
第３の効果は、カラオケボックスシステムのメンテナンス性を向上させることができる点にある。その理由は、カラオケボックスのシステム構成として、楽曲を記憶するサーバとカラオケ予約した楽曲を再生するカラオケボックス本体の他に、ボタン電話装置およびボタン電話装置に接続される内線電話機（カラオケ選曲機能付き専用電話機）、あるいは、カラオケ選曲機能付き携帯電話機（カラオケ店舗等側にあらかじめ備えても良いし、利用者が携行して来室する形態であっても良い）を用意するだけで良く、カラオケ選曲用のリモコンと連絡用の電話機とを各カラオケルームに別個に備える必要はなく、また、楽曲集などを最新の状態に更新しながら各カラオケルームに用意する手間も不要となるからである。また、該内線電話機や携帯電話機についても、客室（カラオケルーム）用とオペレータ用などの用途別による区別をする必要はなく、共通に使用することが可能であるので、複数種類の内線電話機や携帯電話機を作製する必要もないからである。
【００１２】
第４の効果は、カラオケ店舗等の利用者のリピータビリティを向上させることができる点にある。その理由は、カラオケ店舗等のカラオケルーム間をボタン電話装置の内線電話機や携帯電話機により接続することが可能であり、カラオケルームの利用者同士の連絡やゲームやチャットなどのコミュニケーションを可能とすることによって、カラオケルームの利用者間の密接なコミュニケーションを向上させることでき、かつ、オペレータから全カラオケルームに対する一斉サービスを提供することもできることから、コミュニティ広場として活用することができるからである。
【００１３】
第５の効果は、サービス機能を向上させることができる点にある。その理由は、オペレータ側から利用者側のボタン電話装置の内線電話機や携帯電話機に対するコントロールが可能であり、利用者側の内線電話機のタッチパネル上に、あるいは、利用者側の携帯電話機の液晶表示パネル（ＬＣＤ）上に、文字や図形を表示させることができ、例えば終了時刻などの事前の合図や飲食メニューの表示や各種のサービスの提供を可能としているからである。
【発明を実施するための最良の形態】
【００１４】
以下、本発明によるカラオケボックスシステム、電話機およびカラオケ楽曲予約方法の好適実施形態例について添付図を参照して説明する。
【００１５】
（本発明の特徴）
本発明の実施の形態の説明に先立って、まず、本発明の主要な特徴について説明する。本発明によるカラオケボックスシステムにおいては、電話機能とカラオケ選曲用リモコン機能とを兼ね備えた専用電話機（ボタン電話装置の内線電話機）や携帯電話機を配置することにより、利用者は専用電話機のハンドセットあるいは携帯電話機のスピーカ(イヤホン)により選曲中の楽曲を試聴して、カラオケの予約の可否を選択することが可能である。すなわち、カラオケの楽曲を選曲して、選曲した楽曲に関する予約情報をカラオケボックス本体に送信するのに先立って、専用電話機のハンドセットあるいは携帯電話機のスピーカ(イヤホン)を用いて、選曲した楽曲を、楽曲を記憶しているサーバから転送させて試聴することができ、さらに、試聴した結果に基づいて、予約情報をカラオケボックス本体に送信することができる。
【００１６】
さらに、電話機能とカラオケ選曲用リモコン機能とを兼ね備えた専用電話機や携帯電話機を用意することにより、カラオケ選曲用リモコンや選曲用の最新の楽曲集を用意する必要がなくなり、カラオケ店舗等の客室（カラオケルーム）のシステム管理の簡素化を図ることができるとともに、利用者は、電話機能を利用して、オペレータとの連絡のみならず、客室（カラオケルーム）の利用者間のコミュニケーションを図ることも可能である。
【００１７】
（本発明の構成例の説明）
図１は、本発明によるカラオケボックスシステムの構成の一例を説明するためのブロック構成図である。図１に示すカラオケボックスシステム１００は、サーバ１０、カラオケボックス２０、ボタン電話装置３０、を少なくとも含んで構成されている。サーバ１０は、インターネット５０と接続されており、インターネット５０を介してカラオケ用の楽曲をはじめ各種の情報を送受信することが可能であるとともに、カラオケボックス２０、ボタン電話装置３０とも接続されている。サーバ１０には、カラオケ用の楽曲ファイルを蓄積する楽曲情報１１、カラオケの選曲結果を示す選曲情報１２、カラオケ店舗等の客室（カラオケルーム）に関する客室情報１３、楽曲選択用のメニューや飲食用のメニューなどの各種のメニュー情報１４、などが保存されている。
【００１８】
カラオケボックス２０は、サーバ１０と接続されており、内蔵ディスクに保存されている楽曲またはサーバ１０からダウンロードした楽曲の中から予約リストにしたがって選曲された楽曲を順次再生するものであり、カラオケボックス本体２０ａ,…，２０ｎとして複数の客室ａ，…，客室ｎのそれぞれに１台ずつ設置されている。
【００１９】
ボタン電話装置３０は、カラオケ選曲用のリモコン機能と電話機能との併合を可能とするために、内線通話機能を有する内線電話機に、画面表示機能とカラオケ選曲リモコン制御機能とを有するカラオケ選曲モジュールを組み込むことによって、カラオケ選曲機能付きの専用電話機として有しており、ボタン電話装置本体４０と複数の客室ａ，…，客室ｎおよびオペレータ室それぞれに１台ずつ設置される専用電話機３０ａ，…，３０ｎ，３０ｚとから構成されている。
【００２０】
ボタン電話装置本体４０は、ボタン電話装置３０全体の動作を制御するためのボタン電話制御部４１と、専用電話機３０ａ，…，３０ｎ，３０ｚそれぞれとの接続を行うための内線Ｉ／Ｆ（インタフェース）部４２とを、少なくとも含んで構成されている。ボタン電話制御部４１は、内線Ｉ／Ｆ部４２を介して接続されている専用電話機３０ａ，…，３０ｎ，３０ｚそれぞれの状態を管理するとともにそれぞれの制御を行うための専用電話機制御部４１ｃ、電話機能の制御やカラオケ選曲用の制御などを行うために、専用電話機３０ａ，…，３０ｎ，３０ｚやサーバ１０などから送られてくる情報を処理し、各種の演算を司る演算機能部４１ｂ、専用電話機３０ａ，…，３０ｎ，３０ｚそれぞれに関する電話番号などの設定情報やカラオケ選曲用の情報や、あるいは、画面表示するための画像データなどの、各種情報を蓄積する情報記憶部４１ａを少なくとも備えている。
【００２１】
なお、内線Ｉ／Ｆ部４２は、客室ａ，…，客室ｎに設置されている専用電話機３０ａ，…，３０ｎとオペレータ室に設置されている専用電話機３０ｚとの内線接続を行ったり、客室ａ，…，客室ｎ間の専用電話機３０ａ，…，３０ｎ同士の客室間接続を行ったりすることができる他、図示していないが、外線接続部を介して、客室ａ，…，客室ｎの専用電話機３０ａ，…，３０ｎやオペレータ室の専用電話機３０ｚからインターネット５０や電話網などの外部のネットワークとの外線接続を行ったりすることができる。
【００２２】
また、専用電話機３０ａ，…，３０ｎ，３０ｚは、前述のように、カラオケ店舗の利用者が入室する客室ａ，…，客室ｎ、カラオケ店舗の各客室の運用を行っているオペレータが所在するオペレータ室それぞれの室ごとに１台ずつ設置されており、いずれも同一の構成からなっている。すなわち、専用電話機３０ａ，…，３０ｎ，３０ｚそれぞれは、電話機能を実現するためのハンドセット３１ａ，…，３１ｎ，３１ｚ、カラオケ用選曲操作を可能とするためにタッチパネル付きの大画面の表示を行う大画面タッチパネル３２ａ，…，３２ｎ，３２ｚ、大画面の表示機能とカラオケ選曲リモコン機能とを有するカラオケ選曲モジュール３３ａ，…，３３ｎ，３３ｚ、カラオケボックス本体２０ａ，…，２０ｎ，２０ｚに対して選曲情報を含む赤外線を送信したり、逆に、カラオケボックス本体２０ａ，…，２０ｎ，２０ｚからの選曲楽曲の予約完了通知を受信したりする赤外線通信部３４ａ，…，３４ｎ，３４ｚ、を少なくとも備えて構成されている。
【００２３】
ここで、大画面タッチパネル３２ａ，…，３２ｎ，３２ｚ上への操作（タッチ）により入力される指示情報（指示コマンド）は、各専用電話機３０ａ，…，３０ｎ，３０ｚが接続されているボタン電話装置本体４０の情報記憶部４１ａに格納されているＧＵＩ情報を参照することによって解釈され実行される。また、ボタン電話装置本体４０の情報記憶部４１ａに格納されているＧＵＩ情報は、サーバ１０内に、カラオケ選曲用のメニュー画面や各種の案内画面のタッチ位置と指示コマンドとの関連付けを示すＧＵＩ機能として登録されており、ボタン電話装置本体４０からの要求を受け取ることによって、サーバ１０からボタン電話装置本体４０の情報記憶部４１ａにコピーされる。
【００２４】
なお、本実施例においては、専用電話機３０ａ，…，３０ｎ，３０ｚそれぞれに画面表示用および入力操作用として大画面タッチパネル３２ａ，…，３２ｎ，３２ｚを備えている例を示すが、本発明はかかる場合のみに限るものではなく、例えば、タッチパネルとして構成せずに、画面表示用と入力操作用とを分けて、画面表示用のディスプレイ（液晶表示パネルなど）と入力操作用のボタンやキーとを備えている形態としてももちろんかまわない。
【００２５】
ここで、各客室ａ，…，客室ｎ、オペレータ室のそれぞれには、カラオケボックス本体２０ａ，…，２０ｎ，２０ｚが設置されていて、カラオケ選曲モジュール３３ａ，…，３３ｎ，３３ｚとの間で、赤外線通信部３４ａ，…，３４ｎ，３４ｚを用いた赤外線通信を行うことによって、客室ａ，…，客室ｎ、オペレータ室それぞれごとにカラオケ選曲用のデータが送受信されるように構成されている。したがって、各客室ａ，…，客室ｎ、オペレータ室それぞれに入室した利用者やオペレータは、専用電話機３０ａ，…，３０ｎ，３０ｚをそれぞれ操作することによって、カラオケ用選曲を行ったり、連絡用の電話の発着信や通話を行ったりすることができる。
【００２６】
なお、図１には、オペレータ室に設置しているカラオケボックス本体２０ｚを、破線にて表示しているように、必要に応じて、予備用として設置するようにしても良いし、必ずしも設置する必要はない。予備用として設置している場合には、オペレータ室の専用電話機３０ｚのカラオケ選曲モジュール３３ｚを用いて、定期的に、予備用のカラオケボックス本体２０ｚの動作を確認することが可能である。
【００２７】
また、サーバ１０は、前述したように、ボタン電話装置本体４０と接続されており、専用電話機３０ａ，…，３０ｎ，３０ｚを使用する利用者やオペレータが、カラオケ用の選曲操作を行ったり、インターネット５０上のＷｅｂサーバとの間で情報を送受信する操作を行ったりする場合のＧＵＩ機能を提供している。すなわち、サーバ１０は、専用電話機３０ａ，…，３０ｎ，３０ｚの大画面タッチパネル３２ａ，…，３２ｎ，３２ｚにタッチした際の指示コマンドを解釈するためのデータを備えており、専用電話機３０ａ，…，３０ｎ，３０ｚの大画面タッチパネル３２ａ，…，３２ｎ，３２ｚによる操作を可能としている。
【００２８】
さらに、サーバ１０は、選曲情報１２を有しており、利用者やオペレータによるカラオケの選曲番号の管理なども行っている。例えば、専用電話機３０ａ，…，３０ｎ，３０ｚを使用する利用者やオペレータが選曲した予約情報をカラオケボックス本体２０ａ，…，２０ｎ，２０ｚに登録する前に、選曲した楽曲を楽曲情報１１から取出して、ボタン電話装置本体４０の内線Ｉ／Ｆ部４２を介して、専用電話機３０ａ，…，３０ｎ，３０ｚに送信することによって、それぞれの利用者やオペレータは、選曲操作をした楽曲を試聴することが可能であり、試聴した結果に基づいて、カラオケボックス本体２０ａ，…，２０ｎ，２０ｚに予約情報を登録するか否かを指定することができる。
【００２９】
以上のように、通常のボタン電話装置の内線電話機にカラオケ選曲モジュール３３ａ，…，３３ｎ，３３ｚを組み込んだカラオケ選曲機能付きの専用電話機３０ａ，…，３０ｎ，３０ｚとすることによって、カラオケ選曲リモコン機能と電話機能との融合を実現している。すなわち、専用電話機３０ａ，…，３０ｎ，３０ｚは、１台で、カラオケ選曲モジュール３３ａ，…，３３ｎ，３３ｚによってカラオケ選曲リモコン操作を行うことが可能であり、かつ、ハンドセット３１ａ，…，３１ｎ，３１ｚによって電話操作を行うことも、また、カラオケで選曲した楽曲を試聴することも可能としている。なお、カラオケ選曲モジュール３３ａ，…，３３ｎ，３３ｚには、前述したように、赤外線通信部３４ａ，…，３４ｎ，３４ｚが接続されており、それぞれの客室ａ，…，客室ｎ、オペレータ室に設置されているカラオケボックス本体２０ａ，…，２０ｎ，２０ｚに対して選曲情報を送信して、選曲した楽曲を予約登録することが可能である。
【００３０】
（本実施例の動作の説明）
次に、図１のカラオケボックスシステム１００のカラオケ選曲動作の一例について図２のフローチャートを用いてさらに説明する。図２は、本発明によるカラオケボックスシステムのカラオケ選曲動作の一例を説明するためのフローチャートである。図１に示すカラオケボックスシステム１００の実施例においては、前述のように、カラオケの楽曲の選曲操作は、ボタン電話装置３０の専用電話機３０ａ，…，３０ｎ，３０ｚを操作することによって実施される。
【００３１】
例えば、客室ａに入室して専用電話機３０ａを使用する利用者が、専用電話機３０ａに備えられているカラオケ選曲用のボタンを用いてカラオケ選曲動作の指示を行うと（ステップＳ１１）、カラオケ選曲モジュール３３ａが起動されて、カラオケ選曲用のメニュー画面を要求する情報が、専用電話機３０ａのカラオケ選曲モジュール３３ａからボタン電話装置本体４０に送信される。ボタン電話装置本体４０では、演算機能部４１ｂによって、客室ａの利用者からの選曲メニュー画面表示要求である旨の情報が付加されて、メニュー画面要求情報としてサーバ１０へ送信される（ステップＳ３１）。なお、専用電話機３０ａからボタン電話装置本体４０に送信されるカラオケ選曲用のメニュー画面を要求する情報に、送信元を示す客室ａに関する情報を付加して送信するようにしても良く、かかる場合には、ボタン電話装置本体４０では、受信した楽曲名情報をそのままサーバ１０へ中継する動作のみを行うようにしても良い。
【００３２】
メニュー画面要求情報を受信したサーバ１０は、メニュー情報１４を検索することにより要求されているメニュー画面情報を抽出して、要求元の専用電話機３０ａに対して送信する（ステップＳ４１）。サーバ１０から、ボタン電話装置本体４０を介して（ステップＳ３２）、送信されてきたメニュー画面情報を受信した専用電話機３０ａでは、受信したメニュー画面情報に基づいて、大画面タッチパネル３２ａ上にカラオケ選曲用のメニュー画面を表示する（ステップＳ１２）。
【００３３】
大画面タッチパネル３２ａに表示されたカラオケ選曲用のメニュー画面に基づいて、利用者は、大画面タッチパネル３２ａ上を押下操作（タッチ）して、メニュー画面の楽曲種別、歌手名などを順次選択して、該当する楽曲名の候補を一覧表示したり、あるいは、楽曲種別、歌手名などのキーワードを入力して、該当する楽曲名の候補を一覧表示したり、あるいは、楽曲名を直接入力したりすることにより、希望する楽曲名を選択する（ステップＳ１３）。
【００３４】
ここで、利用者が最終的な楽曲の選曲が終了に至るまで、利用者の大画面タッチパネル３２ａ上の押下操作（タッチ）による選択操作に応じて、順次、次の選曲案内用のメニュー画面が、サーバ１０から送信されて大画面タッチパネル３２ａ上に表示されるという動作が繰り返され、最終的に、利用者はカラオケ用に選曲したい楽曲を選択することになる。
【００３５】
また、サーバ１０には、大画面タッチパネル３２ａの表示画面それぞれに対応する押下操作（タッチ）を指示コマンドとして解釈するＧＵＩ情報が各メニュー画面と関連付けて格納されており、サーバ１０からボタン電話装置本体４０の情報記憶部４１ａに転送されることによって、カラオケ選曲要求があった専用電話機３０ａのカラオケ選曲モジュール３３ａにおいて参照可能とされ、大画面タッチパネル３２ａ上の選曲用メニュー画面への押下操作によって、利用者は選曲操作を実施することができる。
【００３６】
客室ａの利用者が選曲した楽曲名情報は、専用電話機３０ａのカラオケ選曲モジュール３３ａからボタン電話装置本体４０に送信されて（ステップＳ１４）、ボタン電話装置本体４０では、演算機能部４１ｂによって、客室ａの利用者の選曲である旨の情報が付加されて、選曲情報としてサーバ１０へ送信される（ステップＳ３３）。なお、ボタン電話装置本体４０に送信される楽曲名情報としては、利用者が選曲する際に画面表示された楽曲名そのものを含んでいても良いし、各楽曲ごとにユニークに付与されている番号の楽曲ＩＤを含んで送信しているので、長い文字列となる可能性がある楽曲名を削除するようにしても良い。さらに、専用電話機３０ａからボタン電話装置本体４０に送信される楽曲名情報に、送信元を示す客室ａを付加して送信するようにしても良く、かかる場合には、ボタン電話装置本体４０では、受信した楽曲名情報をそのままサーバ１０へ中継する動作のみを行うようにしても良い。
【００３７】
選曲情報を受信したサーバ１０は、選曲情報１２に、利用者の選曲履歴を保存するために仮選曲情報として記憶すると同時に、楽曲情報１１を検索して、選曲された楽曲を抽出する（ステップＳ４２）。
【００３８】
次いで、サーバ１０は、抽出した楽曲を、当該客室ａの専用電話機３０ａに対して送信する動作を開始する（ステップＳ４３）。サーバ１０からの楽曲を、ボタン電話装置本体４０を介して（ステップＳ３４）、受信した専用電話機３０ａは、カラオケ選曲モジュール３３ａの動作により、ハンドセット３１ａから受信した楽曲を出力するとともに（ステップＳ１５）、大画面タッチパネル３２ａ上に、ハンドセット３１ａにて楽曲の試聴が可能な状態になっている旨の情報を、予約の可否を指示するためのボタンとともに画面表示する（ステップＳ１６）。これにより、客室ａの利用者は、専用電話機３０ａのハンドセット３１ａを用いて、サーバ１０から送信されてくる楽曲を試聴する。
【００３９】
試聴結果として、当該楽曲をカラオケ用として予約したい場合には、大画面タッチパネル３２ａ上の予約ボタンを押下操作（タッチ）する（ステップＳ１７）。一方、予約したくない場合は、大画面タッチパネル３２ａ上のキャンセルボタンを押下操作（タッチ）する（ステップＳ１７）。客室ａの利用者による予約ボタンまたはキャンセルボタンの押下操作が入力されると、ハンドセット３１ａに出力していた楽曲の出力を停止するとともに（ステップＳ１８）、予約ボタンまたはキャンセルボタンの入力結果は、ボタン電話装置本体４０を介して（ステップＳ１９）、サーバ１０へ送信される（ステップＳ３５）。予約ボタンまたはキャンセルボタンの操作結果を受け取ったサーバ１０は、当該楽曲の専用電話機３０ａへの送信動作を停止するとともに、予約ボタンの操作であった場合は、選曲情報１２に設定されていた仮選曲情報を本選曲情報に書き換える（ステップＳ４４）。
【００４０】
さらに、専用電話機３０ａでは、予約ボタンの押下操作を検出した場合は（ステップＳ２０のＹＥＳ）、カラオケ選曲モジュール３３ａから赤外線通信部３４ａを介してカラオケボックス本体２０ａに対して、選曲した楽曲のカラオケ予約を指示する予約情報が送信される（ステップＳ２１）。一方、キャンセルボタンの押下操作を検出した場合は（ステップＳ２０のＮＯ）、ステップＳ１２に戻って、楽曲の選曲をやり直す動作を繰り返す。
【００４１】
専用電話機３０ａの赤外線通信部３４ａからの赤外線による予約情報を受け取ったカラオケボックス本体２０ａは、予約リストの最後に、受け取った予約情報を登録する（ステップＳ５１）。さらに、カラオケボックス本体２０ａは、受け取った予約情報に指定されている楽曲が内蔵の記憶装置内に存在しているか否かを検索し、存在していた場合は（ステップＳ５２のＹＥＳ）、予約リスト上の当該予約情報と楽曲の格納場所とのリンクを設定する（ステップＳ５５）。一方、受け取った予約情報に指定されている楽曲が内蔵の記憶装置内に存在していなかった場合（ステップＳ５２のＮＯ）、サーバ１０に対して、当該楽曲のダウンロード要求を送信する（ステップＳ５３）。
【００４２】
客室ａのカラオケボックス本体２０ａからダウンロード要求を受け取ったサーバ１０は、指定された当該楽曲を客室ａのカラオケボックス本体２０ａへダウンロードする動作を行う（ステップＳ４５）。客室ａのカラオケボックス本体２０ａは、サーバ１０からダウンロードしてきた楽曲を内蔵の記憶装置内に記憶した後（ステップＳ５４）、ステップＳ５５に移行して、予約リスト上の予約情報と楽曲の格納場所とのリンクを設定する。
【００４３】
このとき、カラオケボックス本体２０ａの内蔵の記憶装置が満杯になり、新たな楽曲を記憶できない状態にある場合は、記憶装置に格納されているものの、既に再生されて予約リストには登録されていない楽曲のうち、最も古い楽曲を消去することにより、記憶装置の空き容量を確保して、サーバ１０からの楽曲を記憶する。
【００４４】
カラオケボックス本体２０ａの予約リストへの登録が完了すると、カラオケボックス本体２０ａから予約完了の旨が、専用電話機３０ａに返送される（ステップＳ５６）。予約完了の旨を受け取った専用電話機３０ａは、大画面タッチパネル３２ａに予約が完了した旨を画面表示して、利用者に通知する（ステップＳ２２）。
【００４５】
以上のようなカラオケ選曲動作を繰り返すことにより、例えば、客室ａにおいて、カラオケボックス本体２０ａに、順次、客室ａの利用者によってカラオケ選曲された楽曲の予約情報が予約リストとして登録されるとともに、予約リストの順番に、順次、選曲された楽曲が再生されることになる。
【００４６】
すなわち、本実施例によるカラオケボックスシステム１００においては、ボタン電話装置３０の専用電話機３０ａ，…，３０ｎ，３０ｚそれぞれにカラオケ選曲モジュール３３ａ，…，３３ｎ，３３ｚを備えて、カラオケ選曲モジュール３３ａ，…，３３ｎ，３３ｚを用いて選曲した楽曲を、カラオケボックス本体２０ａ，…，２０ｎ，２０ｚの予約リストに登録する前に、専用電話機３０ａ，…，３０ｎ，３０ｚのハンドセット３１ａ，…，３１ｎ，３１ｚから、選曲した楽曲を試聴することができ、試聴結果に基づいて、カラオケ予約をするか否かを決定することができる。
【００４７】
また、専用電話機３０ａ，…，３０ｎを用いて、カラオケ選曲や選曲した楽曲の試聴を行う機能のみならず、電話機能をも備えているので、オペレータとの音声による連絡を行ったり、あるいは、オペレータからの終了時刻の予告情報を、音声で受信するのみならず表示メッセージとして画面表示したりすることも可能であり、さらには、客室間の利用者同士や外部の人との連絡やチャットやゲームなどを行ったりすることも可能であるし、また、サーバ１０のメニュー情報１４を活用して、例えば、飲食用の注文をしたり、配車の手配をしたりすることも可能であり、本実施例のカラオケボックスシステム１００を備えたカラオケ店舗を、互いのコミュニティ広場として活用することができる。
【００４８】
また、カラオケ店舗の運用管理の立場から見ても、カラオケ選曲用リモコン機能と電話機能とを１台に融合した専用電話機３０ａ，…，３０ｎを備えたボタン電話装置３０を利用することによって、従来のカラオケ店舗のように、カラオケ選曲用リモコンと連絡用の電話機とを、各客室に別個に備える必要がなく、また、楽曲集などを最新の状態に更新しながら各客室に備える手間も不要となるので、カラオケ店舗のシステム管理が簡素化され、カラオケボックスシステムのメンテナンス性も向上する。
【００４９】
（他の実施例）
前述の実施例においては、ボタン電話装置を用いてカラオケボックスシステムを構成する場合について説明したが、本発明は、かかる場合のみに限るものではない。例えば、図３に示すように、カラオケ店舗を利用する利用者が携行する携帯電話機に、カラオケ選曲リモコン機能を備え、電話機能と融合する構成としても良い。あるいは、かかるカラオケ選曲リモコン機能を備えた携帯電話機を、利用者が携行していない場合にも対応可能なように、カラオケ店舗側にあらかじめ備えるようにしても良い。図３は、本発明によるボタン電話装置の他の構成例を説明するためのブロック構成図である。
【００５０】
本実施例の場合、図３のカラオケボックスシステム１００Ａに示すように、図１のカラオケボックスシステム１００におけるボタン電話装置３０の代わりに、カラオケ選曲リモコン機能を備えた携帯電話機を用いるものであり、客室ａにおいては携帯電話機６０ａ１，６０ａ２が，客室ｎにおいては携帯電話機６０ｎ１，６０ｎ２が、また、オペレータ室においては携帯電話機６０ｚが、それぞれのカラオケ選曲用の機器として用いられる。ここで、携帯電話機６０ａ１，６０ａ２，…，６０ｎ１，６０ｎ２，６０ｚのそれぞれは、利用者ごとに、また、利用者用とオペレータ用とで区別する必要はなく、全く同様の構成のものでかまわない。
【００５１】
携帯電話機６０ａ１，６０ａ２，…，６０ｎ１，６０ｎ２，６０ｚのそれぞれには、カラオケ選曲用のリモコン機能を具備するために、図１のカラオケボックスシステム１００におけるボタン電話装置本体４０に備えられている情報記憶部４１ａと演算機能部４１ｂとの機能と専用電話機３０ａ，…，３０ｎ，３０ｚに備えられている各機能とが、それぞれ備えられている。なお、図３の携帯電話機６０ａ１，６０ａ２，…，６０ｎ１，６０ｎ２，６０ｚのそれぞれには、このうち、専用電話機３０ａ，…，３０ｎ，３０ｚに備えられている各機能のみが表示されている。
【００５２】
すなわち、図３においては、携帯電話機６０ａ１，６０ａ２，…，６０ｎ１，６０ｎ２，６０ｚのそれぞれに、カラオケ選曲した楽曲を試聴可能なスピーカ（またはイヤホン）６１ａ１，６１ａ２，…，６１ｎ１，６１ｎ２，６１ｚ、カラオケ選曲用のメニュー画面を表示する液晶表示パネル（ＬＣＤ）６２ａ１，６２ａ２，…，６２ｎ１，６２ｎ２，６２ｚ、電話機能と融合してカラオケ選曲リモコン機能を実現するカラオケ選曲モジュール６３ａ１，６３ａ２，…，６３ｎ１，６３ｎ２，６３ｚ、および、カラオケボックス本体２０ａ，…２０ｎ，２０ｚと赤外線通信を行う赤外線通信部６４ａ１，６４ａ２，…，６４ｎ１，６４ｎ２，６４ｚ、とを示している。
【００５３】
なお、携帯電話機６０ａ１，６０ａ２，…，６０ｎ１，６０ｎ２，６０ｚの場合、専用電話機３０ａ，…，３０ｎ，３０ｚとは異なり、大画面の表示パネルを搭載することが困難であるので、タッチパネルの代わりに、前述のように、画面表示機能のみを有する液晶表示パネル（ＬＣＤ）６２ａ１，６２ａ２，…，６２ｎ１，６２ｎ２，６２ｚを用い、入力操作用には、一般の携帯電話機の場合と同様に、機能ボタンや数字・文字ボタンを用いる。
【００５４】
また、カラオケボックスシステム１００Ａを構成するサーバ１０ａは、図１のカラオケボックスシステム１００のサーバ１０とは異なり、カラオケボックス本体２０ａ，…，２０ｎ，２０ｚとの間を有線接続して通信を行う通信機能以外に、携帯電話機６０ａ１，６０ａ２，…，６０ｎ１，６０ｎ２，６０ｚとの間で、無線信号を送受信するための無線通信部１５を備え、無線通信部１５にて、無線信号を用いて、携帯電話機６０ａ１，６０ａ２，…，６０ｎ１，６０ｎ２，６０ｚからのカラオケ選曲用のメニュー画面の転送要求を受信して、メニュー画面を送信したり、選曲した楽曲に関する情報を受信して、選曲された楽曲を送信したりする。なお、図１のカラオケボックスシステム１００におけるボタン電話装置本体４０に備えられている情報記憶部４１ａと演算機能部４１ｂとの機能については、携帯電話機６０ａ１，６０ａ２，…，６０ｎ１，６０ｎ２，６０ｚ側ではなく、場合によっては、サーバ１０ａ側に備えるようにしても良い。
【００５５】
以上のような構成からなる本実施例においても、カラオケ選曲した楽曲をカラオケボックス本体２０ａ，…，２０ｎ，２０ｚへ予約登録するのに先立って、携帯電話機６０ａ１，６０ａ２，…，６０ｎ１，６０ｎ２，６０ｚのスピーカ(またはイヤホン)によって、事前に、選曲した楽曲を試聴することができ、試聴結果に基づいて、カラオケボックス本体２０ａ，…，２０ｎ，２０ｚに予約登録するか否かを決定することができる。
【００５６】
ここで、図３に示すカラオケボックスシステム１００Ａにおけるカラオケ選曲動作は、図２において説明したカラオケボックスシステム１００の場合におけるボタン電話装置本体４０と専用電話機３０ａ，…，３０ｎ，３０ｚとの動作を携帯電話機６０ａ１，６０ａ２，…，６０ｎ１，６０ｎ２，６０ｚの動作にほぼ置き換えたものであり、容易に想到することができるので、ここでの詳細な説明は割愛する。
【００５７】
なお、図３のカラオケボックスシステム１００Ａのシステム構成においても、図１のカラオケボックスシステム１００の専用電話機３０ａ，…，３０ｎの場合と同様、携帯電話機６０ａ１，６０ａ２，…，６０ｎ１，６０ｎ２を用いて、カラオケ選曲や選曲した楽曲の試聴を行う機能のみならず、電話機能をも備えているので、オペレータとの音声による連絡やメールによる連絡を行ったり、あるいは、オペレータからの終了時刻の予告情報を、音声で受信するのみならず表示メッセージとして画面表示したりすることも可能であり、さらには、客室間の利用者同士や外部の人との連絡やチャットやゲームなどを行ったりすることも可能であるし、また、サーバ１０ａのメニュー情報１４を活用して、例えば、飲食用の注文をしたり、配車の手配をしたりすることも可能であり、カラオケ店舗を、互いのコミュニティ広場として活用することができる。
【００５８】
また、カラオケ店舗等の運用管理の立場から見ても、カラオケ選曲用リモコン機能と電話機能とを１台に融合した携帯電話機６０ａ１，６０ａ２，…，６０ｎ１，６０ｎ２を利用することによって、従来のカラオケ店舗のように、カラオケ選曲用リモコンと連絡用の電話機とを、各客室（カラオケルーム）に別個に備える必要がなく、また、楽曲集などを最新の状態に更新しながら各客室に備える手間も不要となるので、カラオケ店舗のシステム管理が簡素化され、カラオケボックスシステムのメンテナンス性も向上する。
【００５９】
以上の各実施例においては、カラオケボックスを営業用として運用するカラオケ店舗に設置されるカラオケボックスシステムの場合について説明したが、本発明は、かかる場合に限るものではなく、例えば、ホテルや集会場などのカラオケスタジオに設置されるカラオケボックスに適用するようにしても良いし、あるいは、自宅に設置されるカラオケボックスに適用するようにしても良い。
【００６０】
（各実施例における効果の説明）
以上に詳細に説明したように、本発明の各実施例によるカラオケボックスシステム、電話機およびカラオケ楽曲予約方法によれば、以下のような効果を得ることができる。
【００６１】
第１の効果は、選曲した楽曲をカラオケボックス本体に予約登録する前に、当該楽曲の試聴サービスを提供することが可能となる点にある。その理由は、リモコン選曲モジュールと赤外線通信部とを少なくとも備えることにより電話機能とカラオケ選曲用リモコン機能とを融合した専用電話機（ボタン電話装置の内線電話機）や携帯電話機には、音を聞くためのハンドセットやスピーカ(あるいはイヤホン)が備えられており、かつ、カラオケ選曲中の楽曲をサーバから転送させて試聴することができる手段を追加して備えているからである。
【００６２】
第２の効果は、カラオケ店舗等のカラオケルームのシステム管理の簡素化を図ることができる点にある。その理由は、従来のカラオケ店舗の客室（カラオケルーム）には、電話用の機能を提供するための客室用電話機またはドアホン等と、カラオケ選曲用リモコンとの２つの機器が別個に存在していたが、この両者の機能を融合したボタン電話装置を設置したり、あるいは、この両者の機能を融合した携帯電話機を用いたりすることにより、機器管理の簡素化を図ることができるからである。
【００６３】
第３の効果は、カラオケボックスシステムのメンテナンス性を向上させることができる点にある。その理由は、カラオケボックスのシステム構成として、楽曲を記憶するサーバとカラオケ予約した楽曲を再生するカラオケボックス本体の他に、ボタン電話装置およびボタン電話装置に接続される内線電話機（カラオケ選曲機能付きの専用電話機）、あるいは、カラオケ選曲機能付きの携帯電話機（カラオケ店舗等側にあらかじめ備えても良いし、利用者が携行して来室してきても良い）を用意するだけで良く、カラオケ選曲用のリモコンや最新の楽曲集を各カラオケルームに用意する必要がなくなるからである。また、該専用電話機や携帯電話機についても、客室用とオペレータ用などの用途別による区別をする必要はなく、共通に使用することが可能であるので、複数種類の専用電話機や携帯電話機を作製する必要もないからである。
【００６４】
第４の効果は、カラオケ店舗等の利用者のリピータビリティを向上させることができる点にある。その理由は、カラオケ店舗等のカラオケルーム間を専用電話機や携帯電話機により接続することが可能であり、カラオケルームの利用者同士の連絡やゲームやチャットなどのコミュニケーションを可能とすることによって、カラオケルームの利用者間の密接なコミュニケーションを向上させることでき、かつ、オペレータから全カラオケルームに対する一斉サービスを提供することもできることから、コミュニティ広場として活用することができるからである。
【００６５】
第５の効果は、サービス機能を向上させることができる点にある。その理由は、オペレータ側から利用者側の専用電話機や携帯電話機に対するコントロールが可能であり、利用者側の専用電話機のタッチパネル上に、あるいは、利用者側の携帯電話機の液晶表示パネル（ＬＣＤ）上に、文字や図形を表示させることができ、例えば終了時刻などの事前の合図や飲食メニューの表示や各種のサービスの提供を可能としているからである。
【００６６】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることは、当業者には容易に理解できよう。
【図面の簡単な説明】
【００６７】
【図１】本発明によるボタン電話装置の構成の一例を説明するためのブロック構成図である。
【図２】本発明によるカラオケボックスシステムのカラオケ選曲動作の一例を説明するためのフローチャートである。
【図３】本発明によるボタン電話装置の他の構成例を説明するためのブロック構成図である。
【符号の説明】
【００６８】
１０，１０ａ                サーバ
１１                        楽曲情報
１２                        選曲情報
１３                        客室情報
１４                        メニュー情報
１５                        無線通信部
２０                        カラオケボックス
２０ａ，…，２０ｎ，２０ｚ  カラオケボックス本体
３０                        ボタン電話装置
３０ａ，…，３０ｎ，３０ｚ  専用電話機
３１ａ，…，３１ｎ，３１ｚ  ハンドセット
３２ａ，…，３２ｎ，３２ｚ  大画面タッチパネル
３３ａ，…，３３ｎ，３３ｚ  カラオケ選曲モジュール
３４ａ，…，３４ｎ，３４ｚ  赤外線通信部
４０                        ボタン電話装置本体
４１                        ボタン電話制御部
４２                        内線Ｉ／Ｆ（インタフェース）部
４１ａ                      情報記憶部
４１ｂ                      演算機能部
４１ｃ                      専用電話機制御部
５０                        インターネット
６０ａ１，６０ａ２，…，６０ｎ１，６０ｎ２，６０ｚ  携帯電話機
６１ａ１，６１ａ２，…，６１ｎ１，６１ｎ２，６１ｚ  スピーカ（イヤホン）
６２ａ１，６２ａ２，…，６２ｎ１，６２ｎ２，６２ｚ  液晶表示パネル（ＬＣＤ）
６３ａ１，６３ａ２，…，６３ｎ１，６３ｎ２，６３ｚ  カラオケ選曲モジュール
６４ａ１，６４ａ２，…，６４ｎ１，６４ｎ２，６４ｚ  赤外線通信部
１００，１００Ａ            カラオケボックスシステム
【図１】
2008076699.tif 000003
【図２】
2008076699.tif 000004
【図３】
2008076699.tif 000005